(57)【要約】【課題】興趣性が高い玩具を提供する【解決手段】玩具は、主玩具体２と、主玩具体２に着脱可能に取り付けられる副玩具体３と、を備え、副玩具体３は、被駆動部３２と、被駆動部３２が１回駆動される毎に表示を変化させる表示部３１と、を有し、主玩具体２は、操作部１２と、主玩具体２に取り付けられた副玩具体３の被駆動部３２に係合可能であり、操作部１２において所定の操作がされる毎に被駆動部３２を１回駆動する中継部２０と、を有する。【選択図】図１
2020168555.tif 000002
【特許請求の範囲】
【請求項１】
主玩具体と、
前記主玩具体に着脱可能に取り付けられる副玩具体と、
を備え、
前記副玩具体は、
被駆動部と、
前記被駆動部が１回駆動される毎に表示を変化させる表示部と、
を有し、
前記主玩具体は、
操作部と、
該主玩具体に取り付けられた前記副玩具体の前記被駆動部に係合可能であり、前記操作部において所定の操作がされる毎に前記被駆動部を１回駆動する中継部と、
を有する玩具。
【請求項２】
請求項１記載の玩具であって、
前記主玩具体は、
動作部と、前記動作部を動作させるための動作情報を記憶した動作情報記憶部と、
前記操作部が操作される毎に、前記動作情報を前記動作情報記憶部から読み出し、読み出した前記動作情報に基づいて前記動作部を動作させる動作制御部と、
をさらに有する玩具。
【請求項３】
請求項１または２記載の玩具であって、
前記表示部は、環状に並ぶ複数の表示面を含み、前記被駆動部が１回駆動される毎に複数の前記表示面の並びの中心軸まわりに所定角度回転されて表示を変化させる玩具。
【請求項４】
請求項３記載の玩具であって、
前記被駆動部は、
前記中心軸と同軸の環状且つのこぎり波状に形成された第１カム部、及び前記中心軸と同軸の環状且つ三角波状に形成された第２カム部を有し、前記表示部と一体に回転されるカムと、
前記中継部の移動に応じて前記中心軸に沿って並進移動され、並進移動に伴って前記第１カム部を摺動する第１フォロアと、
前記中心軸に沿って移動可能に設けられ、前記カムの回転に伴って前記第２カム部を摺動する第２フォロアと、
前記第２フォロアを前記中心軸に沿って前記第２カム面に押し付ける付勢部材と、
を含む玩具。
【請求項５】
請求項１記載の玩具であって、
前記副玩具体は、該副玩具体の種類情報を保持した種類情報保持部をさらに有し、
前記主玩具体は、
動作部と、
該主玩具体に取り付けられた前記副玩具体の前記種類情報保持部から前記種類情報を取得する種類情報取得部と、
前記動作部を動作させるための動作情報であって、前記種類情報に対応付けられた動作情報を記憶した動作情報記憶部と、
前記種類情報取得部によって取得された前記種類情報に対応する前記動作情報を前記動作情報記憶部から読み出し、前記操作部が操作される毎に、読み出した前記動作情報に基づいて前記動作部を動作させる動作制御部と、
をさらに有する玩具。
【請求項６】
請求項５記載の玩具であって、
前記表示部は、環状に並ぶ複数の表示面を含み、前記被駆動部が１回駆動される毎に複数の前記表示面の並びの中心軸まわりに所定角度回転されて表示を変化させる玩具。
【請求項７】
請求項６記載の玩具であって、
前記被駆動部は、
前記中心軸と同軸の環状且つのこぎり波状に形成された第１カム部、及び前記中心軸と同軸の環状且つ三角波状に形成された第２カム部を有し、前記表示部と一体に回転されるカムと、
前記中継部の移動に応じて前記中心軸に沿って並進移動され、並進移動に伴って前記第１カム部を摺動する第１フォロアと、
前記中心軸に沿って移動可能に設けられ、前記カムの回転に伴って前記第２カム部を摺動する第２フォロアと、
前記第２フォロアを前記中心軸に沿って前記第２カム面に押し付ける付勢部材と、
を含む玩具。
【発明の詳細な説明】
【技術分野】
【０００１】
本発明は、玩具に関する。
【背景技術】
【０００２】
特許文献１に記載された玩具は、操作部が設けられた中心部材と、中心部材と接続可能な周辺部材とからなり、操作部の操作に応じて周辺部材の収容空間の開口を閉鎖する閉鎖部材が開放状態とされる。
【０００３】
そして、特許文献１に記載された玩具においては、閉鎖部材が開放状態になるのに応じて、周辺部材の収容空間に収容された収容部材の演出手段が演出を実行するようになっている。演出として、特許文献１には、翼状の可動部材が弾性部材によって変形したり、発光部が発光したりすることが例示されている。
【先行技術文献】
【特許文献】
【０００４】
【特許文献１】特開２０１２−１１５５０４号公報
【発明の概要】
【発明が解決しようとする課題】
【０００５】
特許文献１に記載された玩具では、操作部が操作されて演出が実行された後、操作部が再び操作されても演出が再度実行されることはない。操作部の操作により一度実行された演出を再度実行させるには、再び周辺部材の閉鎖部材を閉鎖状態にして演出が出力される前の状態に戻す必要があり、興趣をそがれる。
【０００６】
本発明は、興趣性が高い玩具を提供することを目的とする。
【課題を解決するための手段】
【０００７】
本発明に係る玩具は、主玩具体と、前記主玩具体に着脱可能に取り付けられる副玩具体と、を備え、前記副玩具体は、被駆動部と、前記被駆動部が１回駆動される毎に表示を変化させる表示部と、を有し、前記主玩具体は、操作部と、当該主玩具体に取り付けられた前記副玩具体の前記被駆動部に係合可能であり、前記操作部において所定の操作がされる毎に前記被駆動部を１回駆動する中継部と、を有することを特徴とする。
【０００８】
また、本発明に係る玩具においては、前記主玩具体は、動作部と、前記動作部を動作させるための動作情報を記憶した動作情報記憶部と、前記操作部が操作される毎に、前記動作情報を前記動作情報記憶部から読み出し、読み出した前記動作情報に基づいて前記動作部を動作させる動作制御部と、をさらに有するようにしても良い。
【０００９】
また、本発明に係る玩具においては、前記表示部は、環状に並ぶ複数の表示面を含み、前記被駆動部が１回駆動される毎に複数の前記表示面の並びの中心軸まわりに所定角度回転されて表示を変化させてもよい。
【００１０】
また、本発明に係る玩具においては、前記被駆動部は、前記中心軸と同軸の環状且つのこぎり波状に形成された第１カム部、及び前記中心軸と同軸の環状且つ三角波状に形成された第２カム部を有し、前記表示部と一体に回転されるカムと、前記中継部の移動に応じて前記中心軸に沿って並進移動され、並進移動に伴って前記第１カム部を摺動する第１フォロアと、前記中心軸に沿って移動可能に設けられ、前記カムの回転に伴って前記第２カム部を摺動する第２フォロアと、前記第２フォロアを前記中心軸に沿って前記第２カム部に押し付ける付勢部材と、を含んでもよい。
【００１１】
また、本発明に係る玩具においては、前記副玩具体は、該副玩具体の種類情報を保持した情報保持部をさらに有し、前記主玩具体は、動作部と、該主玩具体に取り付けられた前記副玩具体の前記種類情報保持部から前記種類情報を取得する種類情報取得部と、前記動作部を動作させるための動作情報であって、前記種類情報に対応付けられる動作情報を記憶した動作情報記憶部と、前記種類情報取得部によって取得された前記種類情報に対応する前記動作情報を前記動作情報記憶部から読み出し、前記操作部が操作される毎に、読み出した前記動作情報に基づいて前記動作部を動作させる動作制御部と、をさらに有してもよい。
【００１２】
また、本発明に係る玩具においては、前記表示部は、環状に並ぶ複数の表示面を含み、前記被駆動部が１回駆動される毎に複数の前記表示面の並びの中心軸まわりに所定角度回転されて表示を変化させてもよい。
【００１３】
また、本発明に係る玩具においては、前記被駆動部は、前記中心軸と同軸の環状且つのこぎり波状に形成された第１カム部、及び前記中心軸と同軸の環状且つ三角波状に形成された第２カム部を有し、前記表示部と一体に回転されるカムと、前記中継部の移動に応じて前記中心軸に沿って並進移動され、並進移動に伴って前記第１カム部を摺動する第１フォロアと、前記中心軸に沿って移動可能に設けられ、前記カムの回転に伴って前記第２カム部を摺動する第２フォロアと、前記第２フォロアを前記中心軸に沿って前記第２カム部に押し付ける付勢部材と、を含んでもよい。
【発明の効果】
【００１４】
本発明によれば、興趣性が高い玩具を提供することができる。
【図面の簡単な説明】
【００１５】
【図１】本発明の実施形態を説明するための、玩具の一例における主玩具体の斜視図である。
【図２】図１の主玩具体の斜視図である。
【図３】図１の主玩具体に取り付けられる副玩具体の斜視図である。
【図４】図３の副玩具体の斜視図である。
【図５】図１の玩具の機能的構成を示すブロック図である。
【図６】図１の主玩具体が実行する処理のフロー図である。
【図７】図１の主玩具体の内部機構の斜視図である。
【図８】図１の主玩具体の内部機構の動作を示す斜視図である。
【図９】図３の副玩具体の表示部及び被駆動部の分解斜視図である。
【図１０】図３の副玩具体の表示部及び被駆動部の分解斜視図である。
【図１１】図３の副玩具体の表示部及び被駆動部の動作を示す斜視図である。
【図１２】図３の副玩具体の表示部及び被駆動部の動作を示す斜視図である。
【図１３】図３の副玩具体の表示部及び被駆動部の動作を示す斜視図である。
【図１４】図３の副玩具体の表示部及び被駆動部の動作を示す斜視図である。
【発明を実施するための形態】
【００１６】
図１及び図２は、本発明の実施形態を説明するための、玩具の主玩具体の一例を示し、図３及び図４は、本発明の実施形態を説明するための、玩具の副玩具体の一例を示す。
【００１７】
玩具は、主玩具体２と、主玩具体２に着脱可能に取り付けられる副玩具体３とからなる。主玩具体２は、使用者の腰部に装着可能なベルトとして構成されており、副玩具体３は、使用者が把持可能なボールとして構成されている。
【００１８】
主玩具体２は、バックル本体１０と、バックル本体１０の前面を覆うカバー１１と、操作部としてのハンドル１２とを有する。
【００１９】
カバー１１は、バックル本体１０の前面を露呈させるように、開閉可能にバックル本体１０に支持されている。カバー１１が開かれた状態で露呈するバックル本体１０の前面には、副玩具体３が取り付けられる取付部１３が設けられている。カバー１１には、副玩具体３が取付部１３に取り付けられ且つカバー１１が閉じられた状態で、副玩具体３をカバー１１の外側から覗かせる窓１４が設けられている。
【００２０】
ハンドル１２は、ベルトとして構成される主玩具体２が使用者の胴に装着された状態で胴囲に沿う左右方向に移動可能にバックル本体１０に支持されており、バックル本体１０から引き出され、またバックル本体１０に押し込まれるように操作される。なお、本実施形態においては、ハンドル１２、すなわち、操作部の移動方向を左右方向としたがこれに限られない。例えば、所定の第１方向と、当該第１方向とは異なる第２方向としてもよい。
【００２１】
副玩具体３は、略球形状に形成された外殻３０と、外殻３０に収容された表示部３１と、表示部３１の表示を変化させる被駆動部３２と、種類情報保持部３３とを有する。
【００２２】
外殻３０には表示部３１を外殻３０の外側から覗かせる窓３４が設けられている。副玩具体３が主玩具体２の取付部１３に取り付けられ且つ主玩具体２のカバー１１が閉じられた状態で、表示部３１は、窓３４及びカバー１１に設けられた窓１４を通して視認可能とされる。
【００２３】
表示部３１は、窓３４を通して視認される表示を変化可能に構成されている。表示部３１及び表示部３１の表示を変化させる被駆動部３２の詳細については後述する。
【００２４】
副玩具体３は、表示部３１の表示の組み合わせが互いに異なる複数の種類が用意されており、種類情報保持部３３には副玩具体３の種類に対応する種類情報が保持されている。図示の例では、種類情報保持部３３は、外殻３０の下部に設けられた複数の突起３５によって構成され、突起３５の数及び配置によって種類情報が保持されている。
【００２５】
主玩具体２の取付部１３には、取付部１３に取り付けられた副玩具体３の種類情報保持部３３から種類情報を取得する種類情報取得部１５が設けられている。図示の例では、種類情報取得部１５は、副玩具体３が取付部１３に取り付けられるのに伴って種類情報保持部３３の突起３５によってそれぞれ押圧される複数のスイッチ部１６によって構成され、押圧されたスイッチ部１６の数及び配置によって種類情報を取得する。
【００２６】
なお、副玩具体３の種類情報は、例えばバーコードやドットコードなどの光学的に読み取られる形態で種類情報保持部３３に保持されていてもよく、ＲＦＩＤ（Radio Frequency IDentification）などの電磁波を用いて読み取られる形態で種類情報保持部３３に保持されていてもよい。主玩具体２の種類情報取得部１５には、種類情報保持部３３における種類情報の保持形態に対応した読取手段が設けられる。
【００２７】
そして、主玩具体２は、例えばスピーカ等の発音体やＬＥＤ（Light Emitting Diode）等の発光体からなる動作部１７を有し、音声や光などを用いた演出を出力可能に構成されており、出力可能な演出として、副玩具体３の種類毎に異なる演出が用意され、取付部１３に取り付けられている副玩具体３の種類に対応した演出がハンドル１２に対する操作に応じて主玩具体２から出力される。
【００２８】
図５は、玩具１の機能的構成を示す。
【００２９】
主玩具体２は、上述した操作部としてのハンドル１２及び種類情報取得部１５と、演出を出力する動作部１７と、動作情報記憶部１８と、動作制御部１９と、を備えている。
【００３０】
動作部１７は、上述したとおり、例えばスピーカ等の発音体やＬＥＤ（Light Emitting Diode）等の発光体を含み、音声や光を用いた演出を出力する。
【００３１】
動作情報記憶部１８は、例えばＲＯＭ（Read Only Memory）やＲＡＭ（Random Access Memory）などの記憶媒体を含んで構成され、動作制御部１９によって実行されるプログラムや、動作部１７の動作情報を記憶している。動作情報は、副玩具体３の種類情報に対応付けて記憶されている。
【００３２】
動作制御部１９は、例えばマイクロプロセッサなどの処理装置を含み、動作情報記憶部１８に記憶されたプログラムに従って動作する。そして、動作制御部１９は、種類情報取得部１５によって取得された種類情報を認識し、認識した種類情報に応じた動作情報を動作情報記憶部１８から読み出し、読み出した動作情報に基づいて動作部１７を動作させる。
【００３３】
本例において、動作情報には、第１演出としての変身待機演出と、第２演出としての変身演出と、第３演出としての必殺技待機演出と、第４演出としての必殺技発動演出とが含まれるものとし、動作制御部１９は、取付部１３に対する副玩具体３の取り付けやハンドル１２の操作に応じて、第１演出〜第４演出のうちのいずれか一つの演出を選択して動作部１７を動作させる。
【００３４】
図６は、動作制御部１９が実行する処理のフローを示す。
【００３５】
主玩具体２の動作制御部１９は、まず、取付部１３に対する副玩具体３の取り付けを検出する（ステップＳ１）。取付部１３に対する副玩具体３の取り付けは、例えば取付部１３の種類情報取得部１５に設けられた複数のスイッチ部１６のいずれかが押圧されることによって検出される。
【００３６】
副玩具体３の取り付けを検出した場合に（ステップＳ１：ＹＥＳ）、動作制御部１９は、取り付けられた副玩具体３の種類情報であって種類情報取得部１５によって取得された種類情報を認識し（ステップＳ２）、認識した種類情報に対応した動作情報を動作情報記憶部１８から読み出す（ステップＳ３）。
【００３７】
併せて、動作制御部１９は、読み出した動作情報に含まれる第１〜第４演出の選択に用いられるフラッグＭ，Ｎを初期化（Ｍ＝Ｆａｌｓｅ、Ｎ＝Ｆａｌｓｅ）する（ステップＳ４）。
【００３８】
そして、動作制御部１９は、読み出した動作情報に含まれる第１演出としての変身待機演出を選択し、さらに、ハンドル１２の操作（例えば、ハンドル１２１をバックル本体１０から引き出す操作、第１の方向への操作）を検出する（ステップＳ５）。ハンドル１２の操作が検出されない場合（ステップＳ５：Ｎｏ）、ハンドル１２の操作の検出を繰り返す。ハンドル１２の操作が検出されると（ステップＳ５：Ｙｅｓ）、変身待機演出を動作部１７に出力させる（ステップＳ６）。なお、ハンドル１２の操作は、例えばスイッチなどを用いて適宜検出される。
【００３９】
次いで、動作制御部１９は、ハンドル１２の操作（例えば、ハンドル１２をバックル本体１０に押し込む操作、第１の方向とは異なる第２の方向への操作）を検出する（ステップＳ７）。
【００４０】
ハンドル１２の操作が検出されない場合に（ステップＳ７：Ｎｏ）、動作制御部１９は、副玩具体３の取り外しを検出し（ステップＳ８）、副玩具体３の取り外しが検出されるまで、ハンドル１２の操作の検出及び副玩具体３の取り外しの検出を繰り返す。
【００４１】
上記ステップＳ７にてハンドル１２の操作を検出した場合に（ステップＳ７：Ｙｅｓ）、動作制御部１９はフラッグＭを参照する（ステップＳ９）。
【００４２】
フラッグＭの値が上記ステップＳ４にて設定された“Ｆａｌｓｅ”であるものとして、動作制御部１９は、第２演出としての変身演出を選択し、変身演出を動作部１７に出力させる（ステップＳ１０）。そして、動作制御部１９は、フラッグＭの値を“Ｔｒｕｅ”に設定する（ステップＳ１１）。
【００４３】
変身演出が出力された後に、ステップＳ７にてハンドル１２の操作（例えば、ハンドル１２をバックル本体１０から引き出す操作、第１の方向への操作）を検出した場合に、動作制御部１９は、フラッグＭを参照する（ステップＳ９）。上記ステップＳ１１にてフラッグＭの値が“Ｔｒｕｅ”に設定されていることから、動作制御部１９は、続いてフラッグＮを参照する（ステップＳ１２）。
【００４４】
フラッグＮの値が上記ステップＳ４にて設定された“Ｆａｌｓｅ”であるものとして、動作制御部１９は、第３演出としての必殺技待機演出を選択し、必殺技待機演出を動作部１７に出力させる（ステップＳ１３）。そして、動作制御部１９は、フラッグＮの値を“Ｔｒｕｅ”に設定する（ステップＳ１４）。
【００４５】
必殺技待機演出が出力された後に、ステップＳ７にてハンドル１２の操作（例えば、ハンドル１２をバックル本体１０に押し込む操作、第１の方向とは異なる第２の方向への操作）を検出した場合に、動作制御部１９は、フラッグＭを参照する（ステップＳ９）。上記ステップＳ１１にてフラッグＭの値が“Ｔｒｕｅ”に設定されていることから、動作制御部１９は、続いてフラッグＮを参照する（ステップＳ１２）。
【００４６】
さらに上記ステップＳ１４にてフラッグＮの値が“Ｔｒｕｅ”に設定されていることから、動作制御部１９は、第４演出としての必殺技発動演出を選択し、必殺技発動演出を動作部１７に出力させる（ステップＳ１５）。そして、動作制御部１９は、フラッグＮの値を“Ｆａｌｓｅ”に設定する（ステップＳ１６）。
【００４７】
以後、ステップＳ７にてハンドル１２の操作を検出する毎に（すなわち、ハンドル１２をバックル本体１０から引き出す操作、または、ハンドル１２をバックル本体１０に押し込む操作のいずれかを検出する毎に、つまり、第１の方向への操作、または、第１の方向とは異なる第２の方向への操作を検出する毎に）、動作制御部１９は、フラッグＮを参照して、必殺技待機演出と必殺技発動演出とを交互に選択し、必殺技待機演出と必殺技発動演出とを交互に動作部１７に出力させる。
【００４８】
以上のハンドル１２の操作に応じた演出出力の処理に併せて、取付部１３に取り付けられている副玩具体３は、窓３４を通して視認される表示部３１の表示をハンドル１２の所定の操作の度に変化させる。以下、表示部３１の表示を変化させる構成について説明する。
【００４９】
図７及び図８は、主玩具体２の内部機構を示し、図９及び図１０は、副玩具体３の表示部３１及び被駆動部３２の構成を示す。
【００５０】
主玩具体２は、操作部としてのハンドル１２を引き出す操作（第１の方向への操作）および押し込む操作（第１の方向とは異なる第２の方向への操作）がされる度に移動される中継部２０をさらに有する。ハンドル１２は、左右方向に取付部１３の側方に配置されており、中継部２０は、取付部１３の後側に配置され、左右方向に延びている。中継部２０のハンドル１２側の端部はハンドル１２に連結されており、中継部２０はハンドル１２と一体に左右方向に移動される。
【００５１】
そして、中継部２０のハンドル１２側とは反対側の端部には押圧部２１が設けられている。押圧部２１は、取付部１３のハンドル１２側とは反対側の側方に配置されており、ハンドル１２がバックル本体１０から引き出されるのに伴って取付部１３の側方から取付部１３の上方に前進され、ハンドル１２がバックル本体１０に押し込まれるのに伴って取付部１３の上方から取付部１３の側方に後退される。
【００５２】
副玩具体３の表示部３１は、複数の表示面を含む。図示の例では四つの表示面３１ａ，３１ｂ，３１ｃ，３１ｄが設けられており、これらの表示面３１ａ，３１ｂ，３１ｃ，３１ｄが中心軸Ａまわりに環状に並べられて構成されている。表示面３１ａ，３１ｂ，３１ｃ，３１ｄには、絵柄などによって構成される互いに異なる表示が施されている。
【００５３】
被駆動部３２は、中心軸Ａまわりに表示部３１と一体に回転されるカム３６と、第１フォロア４０及び第２フォロア４１とを含み、カム３６は第１カム部３７と第２カム部３８とを有する。
【００５４】
第１カム部３７には、中心軸Ａまわりに螺旋状に延びる複数のカム面３７ａが設けられており、第１カム部３７は、全体として中心軸Ａと同軸の環状且つのこぎり波状に形成されている。カム面３７ａは、表示部３１における表示面と同数設けられ、図示の例では、略９０°おきに四つ設けられている。
【００５５】
第２カム部３８には、中心軸Ａまわりに螺旋状に延びる複数のカム面３８ａ及びカム面３８ａとは逆巻きで中心軸Ａまわりに螺旋状に延びる複数のカム面３８ｂが交互に設けられており、第２カム部３８は、全体として中心軸Ａと同軸の環状且つ三角波状に形成されている。カム面３８ａ及びカム面３８ｂは、それぞれ表示部３１における表示面と同数設けられ、図示の例では、略９０°おきに四つずつ設けられている。
【００５６】
第１フォロア４０は、第１カム部３７に対向して配置されており、第１カム部３７のカム面３７ａにそれぞれ当接可能な複数の摺動部４２を有する。そして、第１フォロア４０は、外殻３０に固定される支持枠４３によって中心軸Ａに沿って並進移動可能に支持されている。
【００５７】
第１フォロア４０には外殻３０の外側に突出するキャップ４４が一体に固定され、キャップ４４が中心軸Ａに沿って外殻３０に押し込まれることにより、第１フォロア４０もまた中心軸Ａに沿って第１カム部３７側に移動され、第１フォロア４０の摺動部４２が第１カム部３７のカム面３７ａにそれぞれ当接する。
【００５８】
支持枠４３とキャップ４４との間にはバネ４５が介装されており、中心軸Ａに沿って外殻３０に押し込まれたキャップ４４はバネ４５によって反対方向に付勢される。
【００５９】
副玩具体３が主玩具体２の取付部１３に取り付けられた状態で、キャップ４４は主玩具体２の中継部２０の押圧部２１に対向して配置される。そして、主玩具体２のハンドル１２がバックル本体１０から引き出されて押圧部２１が取付部１３の上方に前進されると、キャップ４４は押圧部２１と係合し、押圧部２１によって外殻３０に押し込まれる。また、ハンドル１２がバックル本体１０に押し込まれて押圧部２１が取付部１３の側方に後退されると、バネ４５によって付勢されたキャップ４４は外殻３０の外側に突出する。つまり、主玩具体２のハンドル１２においてバックル本体１０から引き出されて、再び押し込まれる操作がされる毎に、中継部２０は、押圧部２１を介して、キャップ４４を外殻３０に押し込み、再び外郭３０の外側に突出させるというように、外郭３０に対して１回往復移動させる。  
【００６０】
第２フォロア４１は第２カム部３８に対向して配置されており、第２カム部３８のカム面３８ａ，３８ｂにそれぞれ当接可能な複数の摺動部４６を有する。そして、第２フォロア４１は、外殻３０に固定される支持枠４７によって中心軸Ａに沿って並進移動可能に支持されている。
【００６１】
また、支持枠４７にはキャップ４８が一体に固定され、キャップ４８と第２フォロア４１との間には付勢部材としてのバネ４９が介装されている。第２フォロア４１はバネ４９によって中心軸Ａに沿って第２カム部３８側に付勢されており、第２フォロア４１の摺動部４６は第２カム部３８のカム面３８ａ又はカム面３８ｂにそれぞれ当接する。
【００６２】
図１１から図１４は、副玩具体３の表示部３１及び被駆動部３２の動作を示す。
【００６３】
図１１に示す状態において、表示部３１の表示面３１ａ，３１ｂ，３１ｃ，３１ｄのうち、表示面３１ａに施された表示が副玩具体３の窓３４を通して視認されるものとする。
【００６４】
図１２に示すように、主玩具体２のハンドル１２がバックル本体１０から引き出され、キャップ４４が外殻３０に押し込まれると、第１フォロア４０の摺動部４２は、カム３６を回転させながら、第１カム部３７のカム面３７ａをそれぞれ摺動する。
【００６５】
カム３６が回転されるのに伴い、第２フォロア４１の摺動部４６は、中心軸Ａに沿って第２カム部３８側とは反対側に向けて第２フォロア４１を後退させながら、第２カム部３８のカム面３８ａをそれぞれ摺動する。
【００６６】
図１３に示すように、主玩具体２のハンドル１２がバックル本体１０から完全に引き出され、キャップ４４が外殻３０に完全に押し込まれた時点で、第２フォロア４１の摺動部４６は、第２カム部３８のカム面３８ａを乗り越え、カム面３８ａに連なるカム面３８ｂ上に配置される。
【００６７】
そして、主玩具体２のハンドル１２がバックル本体１０に押し込まれ、バネ４５によって付勢されたキャップ４４が外殻３０の外側に突出すると、キャップ４４と一体に移動される第１フォロア４０の摺動部４２と第１カム部３７のカム面３７ａとの当接が解除される。
【００６８】
図１４に示すように、第１フォロア４０の摺動部４２と第１カム部３７のカム面３７ａとの当接が解除されるのに伴い、バネ４９によって付勢された第２フォロア４１の摺動部４６は、カム３６を回転させながら、第２カム部３８のカム面３８ｂをそれぞれ摺動する。
【００６９】
以上により、カム３６及びカム３６と一体に回転される表示部３１は略９０°回転され、副玩具体３の窓３４を臨む表示面が表示面３１ａから表示面３１ｂに切り替わり、窓３４を通して視認される表示部３１の表示が変化する。
【００７０】
そして、第１カム部３７に対する第１フォロア４０の関係、及び第２カム部３８に対する第２フォロア４１の関係は、カム３６が略９０°回転される前と後とで同じとなっている。よって、バックル本体１０から引き出され、再びバックル本体１０に押し込まれるというようなハンドル１２における所定の操作がされる毎に、キャップ４４が外殻３０に押し込まれ、第１フォロア４０の摺動部４２がカム３６を回転させながら、第１カム部３７のカム面３７ａを摺動していき、カム３６が回転されるのに伴い、第２フォロア４１の摺動部４６は、中心軸Ａに沿って第２カム部３８側とは反対側に向けて第２フォロア４１を後退させながら、第２カム部３８のカム面３８ａを摺動し、再びキャップ４４が外殻３０から外側に突出することで、キャップ４４と一体に移動される第１フォロア４０の摺動部４２と第１カム部３７のカム面３７ａとの当接が解除され、これに伴い、バネ４９によって付勢された第２フォロア４１の摺動部４６が、カム３６を回転させながら、第２カム部３８のカム面３８ｂをそれぞれ摺動する、という被駆動部３２における１回の駆動が行なわれ、この１回の駆動によって、表示部３１が略９０°回転されて副玩具体３の窓３４を臨む表示面が順次切り替わり、窓３４を通して視認される表示部３１の表示が変化する。つまり、この実施形態において、「キャップ４４が外殻３０に押し込まれ、第１フォロア４０の摺動部４２がカム３６を回転させながら、第１カム部３７のカム面３７ａを摺動していき、カム３６が回転されるのに伴い、第２フォロア４１の摺動部４６は、中心軸Ａに沿って第２カム部３８側とは反対側に向けて第２フォロア４１を後退させながら、第２カム部３８のカム面３８ａを摺動し、再びキャップ４４が外殻３０から外側に突出することで、キャップ４４と一体に移動される第１フォロア４０の摺動部４２と第１カム部３７のカム面３７ａとの当接が解除され、これに伴い、バネ４９によって付勢された第２フォロア４１の摺動部４６が、カム３６を回転させながら、第２カム部３８のカム面３８ｂをそれぞれ摺動すること」が、本発明にいう「被駆動部が１回駆動される」ことに相当し、ハンドル１２が「バックル本体１０から引き出され、再びバックル本体１０に押し込まれること」が、本発明にいう操作部における「所定の操作」に相当する。
【００７１】
このように、主玩具体２のハンドル１２における所定の操作毎に（例えば、ハンドル１２を引き出し、押し込むという１往復の操作毎に）、副玩具体３の表示部３１の表示を変化させることができ、玩具の興趣性を高めることができる。さらに、主玩具体２のハンドル１２の操作毎に、主玩具体２から異なる演出が出力されるので、副玩具体３の表示部３１の表示が変化するのと合わさって、玩具の興趣性を一層高めることができる。
【００７２】
なお、本実施形態においては、ハンドル１２が引き出され、再び押し込まれるという１往復の「所定の操作」（操作部が第１の方向へ操作され、その後、第１の方向とは異なる第２の方向へ操作されるという「所定の操作」）毎に、中継部２０が被駆動部３２を１回駆動し、被駆動部３２が１回駆動される毎に、表示部３１が略９０°回転されて副玩具体３の窓３４を臨む表示面が順次切り替わり、窓３４通して視認される表示部３１の表示が変化するようにしているが、本発明はこの実施形態に限られるものではない。例えば、被駆動部３２においてキャップ４４が外殻３０に押し込まれ、第１フォロア４０の摺動部４２がカム３６を回転させながら、第１カム部３７のカム面３７ａを摺動していくことで、表示部３１が略９０°回転されて副玩具体３の窓３４を臨む表示面が順次切り替わり、窓３４を通して視認される表示部３１の表示が変化するようにして、ハンドル１２が引き出される操作１回毎に（操作部における第１の方向への操作毎に）、中継部２０が、キャップ４４を外殻３０に押し込み、第１フォロア４０の摺動部４２がカム３６を回転させながら、第１カム部３７のカム面３７ａを摺動していくように、被駆動部３２を１回駆動し、このように被駆動部３２が１回駆動される毎に、表示部３１が略９０°回転されて副玩具体３の窓３４を臨む表示面が順次切り替わり、窓３４通して視認される表示部３１の表示が変化するようにしてもよい。この実施形態においては、「キャップ４４が外殻３０に押し込まれ、第１フォロア４０の摺動部４２がカム３６を回転させながら、第１カム部３７のカム面３７ａを摺動していくこと」が、本発明にいう「被駆動部が１回駆動される」ことに相当し、ハンドル１２が「バックル本体１０から引き出されること（第１の方向への操作）」が、本発明にいう操作部における「所定の操作」に相当する。
【符号の説明】
【００７３】
１     玩具
２     主玩具体
３     副玩具体
１０   バックル本体
１１   カバー
１２   ハンドル（操作部）
１３   取付部
１５   種類情報取得部
１７   動作部
１８   動作情報記憶部
１９   動作制御部
２０   中継部
３１   表示部
３１ａ，３１ｂ，３１ｃ，３１ｄ     表示面
３２   被駆動部
３３   種類情報保持部
３６   カム
３７   第１カム部
３８   第２カム部
４０   第１フォロア
４１   第２フォロア
４９   バネ（付勢部材）
【図１】
2020168555.tif 000003
【図２】
2020168555.tif 000004
【図３】
2020168555.tif 000005
【図４】
2020168555.tif 000006
【図５】
2020168555.tif 000007
【図６】
2020168555.tif 000008
【図７】
2020168555.tif 000009
【図８】
2020168555.tif 000010
【図９】
2020168555.tif 000011
【図１０】
2020168555.tif 000012
【図１１】
2020168555.tif 000013
【図１２】
2020168555.tif 000014
【図１３】
2020168555.tif 000015
【図１４】
2020168555.tif 000016
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
主玩具体と、
前記主玩具体に着脱可能に取り付けられる副玩具体と、
を備え、
前記副玩具体は、
被駆動部を有し、
前記主玩具体は、
開閉可能に支持されたカバーと、
前記カバーが開かれた状態で露呈し、前記副玩具体を取付可能な取付部と、
操作部と、
該主玩具体に取り付けられた前記副玩具体の前記被駆動部を押圧可能であり、前記操作部において所定の操作がされる毎に前記被駆動部を１回駆動する中継部と、
を有し、
前記副玩具体は表示部を有し、当該表示部は前記被駆動部が１回駆動される毎に表示が変化し、
前記カバーには、前記副玩具体が前記取付部に取り付けられ且つ前記カバーが閉じられた状態で、前記副玩具体の前記表示部を前記カバーの外側から視認可能とする窓が設けられている、
玩具。
【請求項２】
請求項１記載の玩具であって、
前記主玩具体は、
動作部と、前記動作部を動作させるための動作情報を記憶した動作情報記憶部と、
前記操作部が操作される毎に、前記動作情報を前記動作情報記憶部から読み出し、読み出した前記動作情報に基づいて前記動作部を動作させる動作制御部と、
をさらに有する玩具。
【請求項３】
請求項１または２記載の玩具であって、
前記表示部は、環状に並ぶ複数の表示面を含み、前記被駆動部が１回駆動される毎に複数の前記表示面の並びの中心軸まわりに所定角度回転されて表示を変化させる玩具。
【請求項４】
請求項３記載の玩具であって、
前記被駆動部は、
前記中心軸と同軸の環状且つのこぎり波状に形成された第１カム部、及び前記中心軸と同軸の環状且つ三角波状に形成された第２カム部を有し、前記表示部と一体に回転されるカムと、
前記中継部の移動に応じて前記中心軸に沿って並進移動され、並進移動に伴って前記第１カム部を摺動する第１フォロアと、
前記中心軸に沿って移動可能に設けられ、前記カムの回転に伴って前記第２カム部を摺動する第２フォロアと、
前記第２フォロアを前記中心軸に沿って前記第２カム面に押し付ける付勢部材と、
を含む玩具。
【請求項５】
請求項１記載の玩具であって、
前記副玩具体は、該副玩具体の種類情報を保持した種類情報保持部をさらに有し、
前記主玩具体は、
動作部と、
該主玩具体に取り付けられた前記副玩具体の前記種類情報保持部から前記種類情報を取得する種類情報取得部と、
前記動作部を動作させるための動作情報であって、前記種類情報に対応付けられた動作情報を記憶した動作情報記憶部と、
前記種類情報取得部によって取得された前記種類情報に対応する前記動作情報を前記動作情報記憶部から読み出し、前記操作部が操作される毎に、読み出した前記動作情報に基づいて前記動作部を動作させる動作制御部と、
をさらに有する玩具。
【請求項６】
請求項５記載の玩具であって、
前記表示部は、環状に並ぶ複数の表示面を含み、前記被駆動部が１回駆動される毎に複数の前記表示面の並びの中心軸まわりに所定角度回転されて表示を変化させる玩具。
【請求項７】
請求項６記載の玩具であって、
前記被駆動部は、
前記中心軸と同軸の環状且つのこぎり波状に形成された第１カム部、及び前記中心軸と同軸の環状且つ三角波状に形成された第２カム部を有し、前記表示部と一体に回転されるカムと、
前記中継部の移動に応じて前記中心軸に沿って並進移動され、並進移動に伴って前記第１カム部を摺動する第１フォロアと、
前記中心軸に沿って移動可能に設けられ、前記カムの回転に伴って前記第２カム部を摺動する第２フォロアと、
前記第２フォロアを前記中心軸に沿って前記第２カム面に押し付ける付勢部材と、
を含む玩具。
【手続補正２】
【補正対象書類名】明細書
【補正対象項目名】０００７
【補正方法】変更
【補正の内容】
【０００７】
本発明に係る玩具は、主玩具体と、前記主玩具体に着脱可能に取り付けられる副玩具体と、を備え、前記副玩具体は、被駆動部と、前記被駆動部が１回駆動される毎に表示を変化させる表示部と、を有し、前記主玩具体は、操作部と、当該主玩具体に取り付けられた前記副玩具体の前記被駆動部に係合可能であり、前記操作部において所定の操作がされる毎に前記被駆動部を１回駆動する中継部と、を有することを特徴とする。また、本発明に係る玩具は、主玩具体と、前記主玩具体に着脱可能に取り付けられる副玩具体と、を備え、前記副玩具体は、被駆動部を有し、前記主玩具体は、開閉可能に支持されたカバーと、前記カバーが開かれた状態で露呈し、前記副玩具体を取付可能な取付部と、操作部と、該主玩具体に取り付けられた前記副玩具体の前記被駆動部を押圧可能であり、前記操作部において所定の操作がされる毎に前記被駆動部を１回駆動する中継部と、を有し、前記副玩具体は表示部を有し、当該表示部は前記被駆動部が１回駆動される毎に表示が変化し、  前記カバーには、前記副玩具体が前記取付部に取り付けられ且つ前記カバーが閉じられた状態で、前記副玩具体の前記表示部を前記カバーの外側から視認可能とする窓が設けられている。